(57)【要約】第１の光送信部（１４）、第１の制御部（１６）、光受信部（１８）を備える光ネットワーク要素装置（１２）と、第２の光送信部（２２）、第２の制御部（２４）および光受信装置（２６）とを備える光ネットワーク（１０）。第１の制御部は、第２の光信号が検出されないのに応えて、第１の光送信部を制御して、第１の光信号を生成および送信するように構成されている。第１の制御部は、第２の光信号が検出されるまで、複数の波長の中の異なる波長で、第１の光信号を繰り返し生成および送信するように構成され、第２の光信号が検出された時点の波長で、それ以降、第１の光信号の生成および送信を継続するようにさらに構成されている。第２の制御部は、光受信装置による第１の光信号の検出に続いて、第２の光送信部を制御して、第２の光信号を生成および送信するように構成されている。
2013502785.tif 000002
【特許請求の範囲】
【請求項１】
光ネットワークであって、
光ネットワーク要素装置であって、
第１の光信号を生成して送信する第１の光送信器と、
複数の波長のうちから選択された波長で前記第１の光信号を生成して送信するように前記第１の光送信器を制御する第１の制御部と、
第２の光信号を受信する第１の光受信器と
を有した当該光ネットワーク要素装置と、
前記第２の光信号を生成して送信する第２の光送信器と、
前記第２の光信号を生成して送信するように前記第２の光送信器を制御する第２の制御部と、
受信波長帯内の波長を有する光信号を検出する光受信装置と
を有し、
前記第１の制御部は、前記第２の光信号が検出されなかったことに応じて、前記第１の光信号を生成して送信するように前記第１の光送信器を制御し、さらに、前記第１の制御部は、前記第２の光信号が検出されるようになるまで、前記複数の波長のうちのそれぞれ異なる波長で、繰り返し前記第１の光信号を生成して送信するように前記第１の光送信器を制御し、それ以降は、前記第２の光信号が検出された波長で前記第１の光信号の生成と送信を維持するように制御し、
前記第２の制御部は、前記光受信装置によって前記第１の光信号が検出されたことに続いて、前記第２の光信号を生成して送信するように前記第２の光送信器を制御する
ことを特徴とする光ネットワーク。
【請求項２】
前記光受信装置は、光パワー閾値を有し、当該光パワー閾値よりも低い光パワーを有した光信号を検出せず、前記第２の光信号が受信されないとき、または、前記第２の光信号が受信されたもののその光パワーが前記光パワー閾値よりも低いときのいずれかである、前記第２の光信号が検出されないときに、第１の光信号損失警報オン信号を生成する第１の光信号損失警報器を有し、
前記第１の制御部は、前記第１の光信号損失警報オン信号を受信し、当該第１の光信号損失警報オン信号を受信したことに応じて、前記第１の光信号を生成して送信するように前記第１の光送信器を制御する
ことを特徴とする請求項１に記載の光ネットワーク。
【請求項３】
前記第１の光信号損失警報器は、前記第２の光信号が受信され、かつ、その光パワーが前記光パワー閾値以上であるときである、前記第２の光信号が検出されたときに、第１の光信号損失警報オフ信号を生成し、
前記第１の制御部は、前記第１の光信号損失警報オフ信号が受信されるようになるまで、前記複数の波長のうちのそれぞれ異なる波長で、繰り返し前記第１の光信号を生成して送信するように前記第１の光送信器を制御し、前記第１の光信号損失警報オフ信号が受信された以降は、前記第１の光信号損失警報オフ信号が検出された波長で前記第１の光信号の生成と送信を維持するように制御する
ことを特徴とする請求項２に記載の光ネットワーク。
【請求項４】
前記光受信装置は、光パワー閾値を有し、当該光パワー閾値よりも低い光パワーを有した光信号を検出せず、前記第１の光信号が受信され、かつ、その光パワーが前記光パワー閾値以上のときである、前記第１の光信号が検出されたときに、第２の光信号損失警報オフ信号を生成する第２の光信号損失警報器を有し、
前記第２の制御部は、前記第２の光信号損失警報オフ信号を受信し、当該第２の光信号損失警報オフ信号を受信したことに応じて、前記第２の光信号を生成して送信するように前記第２の光送信器を制御する
ことを特徴とする請求項１ないし３のいずれか１項に記載の光ネットワーク。
【請求項５】
前記光受信装置は、波長選択ルータの出力ポートに接続された光検出器を備えていることを特徴とする請求項１ないし４のいずれか１項に記載の光ネットワーク。
【請求項６】
前記光検出器は、前記出力ポートの最大隣接クロストークよりも高い感度閾値を有していることを特徴とする請求項５に記載の光ネットワーク。
【請求項７】
前記第１の光送信器は、前記感度閾値と、前記光ネットワークを伝送される際に前記第１の光信号に付与される減衰との差分よりは大きくない光パワーを有している第１の光信号を生成して送信することを特徴とする請求項６に記載の光ネットワーク。
【請求項８】
光ネットワーク要素装置であって、
第１の光信号を生成して送信する光送信器と、
複数の波長のうちから選択された波長で前記第１の光信号を生成して送信するように前記光送信器を制御する制御部と、
第２の光信号を受信する光受信器と
を有し、
前記制御部は、前記第２の光信号が検出されなかったことに応じて、前記第１の光信号を生成して送信するように前記光送信器を制御し、さらに、前記制御部は、前記第２の光信号が検出されるようになるまで、前記複数の波長のうちのそれぞれ異なる波長で、繰り返し前記第１の光信号を生成して送信するように前記光送信器を制御し、それ以降は、前記第２の光信号が検出された波長で前記第１の光信号の生成と送信を維持するように制御する
ことを特徴とする光ネットワーク要素装置。
【請求項９】
光回線終端装置であって、
第１の光信号を生成して送信する光送信器と、
受信波長帯内の波長を有する第２の光信号を検出する光受信装置と
前記光受信装置によって前記第２の光信号が検出されたことに続いて、前記第１の光信号を生成して送信するように前記光送信器を制御する制御部と
を有することを特徴とする光回線終端装置。
【請求項１０】
光ネットワークにおいて光送信器を設定する方法であって、
第１のネットワーク位置において、第１の光信号が存在し、かつ、その波長が受信波長帯内にあるかどうかを判定するとともに、前記第１の光信号が存在し、かつ、その波長が前記受信波長帯内にあるときに、第２の光信号を生成して送信する判定ステップと、
前記光送信器が配置されている第２のネットワーク位置において、前記第２の光信号が存在すると判定されるようになるまで、複数の波長のうちのそれぞれ異なる波長で、繰り返し前記第１の光信号を生成して送信し、前記第２の光信号が存在すると判定されるようになった以降は、前記第２の光信号が存在すると判定された波長で前記第１の光信号の生成と送信を維持する送信ステップと
を有することを特徴とする方法。
【請求項１１】
前記第１の光信号が存在し、かつ、その波長が前記受信波長帯内にあるかどうかを判定する前記判定ステップは、
第１の光信号損失警報信号を受信するステップと、
前記第１の光信号損失警報信号が、前記第１の光信号が受信され、かつ、その光パワーが光パワー閾値以上であることを示す信号損失警報オフ信号であるかどうかを判定するステップと
を有することを特徴とする請求項１０に記載の方法。
【請求項１２】
前記第２の光信号が存在するかどうかを判定するステップは、
第２の光信号損失警報信号を受信するステップと、
前記第２の光信号損失警報信号が、前記第２の光信号が存在していないことを示す信号損失警報オン信号かどうかを判定するステップと
を有することを特徴とする請求項１０または１１に記載の方法。
【請求項１３】
前記第２の光信号が存在するかどうかを判定するステップは、
前記第２の光信号損失警報信号が、前記第２の光信号が存在していることを示す信号損失警報オフ信号かどうかを判定するステップ
を有することを特徴とする請求項１２に記載の方法。
【請求項１４】
前記第１の光信号が受信され、かつ、検出器感度式閾値以上の光パワーを有している場合に、前記第１の光信号は存在すると判定されることを特徴とする請求項１０ないし１３のいずれか１項に記載の方法。
【請求項１５】
前記第２の光信号は、前記検出器感度閾値と、前記光ネットワークを伝送される際に前記第２の光信号に付与される減衰との差分よりは大きくない光パワーを有していることを特徴とする請求項１４に記載の方法。
【請求項１６】
光ネットワークにおいて光送信器の波長を遠隔から設定する方法であって、
前記光送信器から遠隔の位置で、前記光送信器によって生成された第１の光信号が存在し、かつ、受信波長帯内の波長を有しているかどうかを判定する判定ステップと、
前記第１の光信号が存在し、かつ、前記受信波長帯内の波長を有しているときに、第２の光信号を生成して送信する送信ステップと
を有することを特徴とする方法。
【請求項１７】
前記判定ステップは、
第１の光信号損失警報信号を受信するステップと、
前記第１の光信号損失警報信号が、前記第１の光信号が受信され、かつ、その光パワーが光パワー閾値以上であることを示す信号損失警報オフ信号であるかどうかを判定するステップと
を有することを特徴とする請求項１６に記載の方法。
【発明の詳細な説明】
【技術分野】
【０００１】
本発明は、光ネットワーク、光ネットワーク要素装置、光加入者線終端装置、光ネットワークにおける光送信部の構成方法、および光ネットワークにおける光送信部の遠隔波長設定方法に関する。
【背景技術】
【０００２】
光ネットワーク技術は、波長分割多重（ＷＤＭ）を利用するファイバ・ツー・ザ・ホームの提供に向かって進んでいる。ファイバ・ツー・ザ・ホームの１つの具体的な解決手段は、波長分割多重受動光ネットワーク（ＷＤＭ−ＰＯＮ）であり、ＷＤＭ−ＰＯＮでは、電話局（ＣＯ）の光加入者線終端装置（ＯＬＴ）から各家庭の光ネットワーク終端装置（ＯＮＵ）に通信するために、個別の波長チャネルを使用する。このアプローチは、通常のＰＯＮのポイント・ツー・マルチポイントのトポロジとは対照的に、ＣＯと各ＯＮＵとの間に仮想のポイント・ツー・ポイントのリンクを作成する。ＷＤＭ−ＰＯＮネットワークアーキテクチャは、各ＯＮＵに、異なる波長でアップストリームに送信することを要求する。各ＯＮＵに異なる固定波長の送信部を備えるのは、費用のかかるアプローチであり、それに伴う保守の問題もある。より魅力的な代替アプローチは、各ＯＮＵの送信部として、波長可変レーザを備えることである。しかし、ＯＮＵにおける波長可変レーザの使用は、各レーザをその関連するチャネルの正しい波長に調整するという課題に直面する。
【発明の概要】
【発明が解決しようとする課題】
【０００３】
１つの目的は、改良された光ネットワークを提供することである。別の目的は、光ネットワーク用の改良された光ネットワーク要素装置を提供することである。さらに別の目的は、光ネットワーク用の改良された光加入者線終端装置を提供することである。さらに別の目的は、光ネットワークにおける光送信部の改良された構成方法を提供することである。さらに別の目的は、光ネットワークにおける光送信部の改良された遠隔波長設定方法を提供することである。
【課題を解決するための手段】
【０００４】
本発明の第１の態様は、光ネットワークを提供し、この光ネットワークは、第１の光送信部、第１の制御部および光受信部を備える光ネットワーク要素装置を備える。この第１の光送信部は、第１の光信号を生成および送信するように構成されている。この第１の制御部は、第１の光送信部を制御して、所定の複数の波長の中から選択した波長で、第１の光信号を生成および送信するように構成されている。この光受信部は、第２の光信号を検出するように構成されている。この光ネットワークは、第２の光送信部、第２の制御部および光受信装置をさらに備える。この第２の光送信部は、第２の光信号を生成および送信するように構成されている。この第２の制御部は、第２の光送信部を制御して、第２の光信号を生成および送信するように構成されている。この光受信装置は、受信波長帯内の波長を有する光信号を検出するように構成されている。前述の第１の制御部は、第２の光信号が検出されないことに応えて、第１の光送信部を制御して、第１の光信号を生成および送信するように構成されている。すなわち、光受信部が第２の光信号を検出していない期間中、この第１の制御部は、第１の光送信部を制御して、第１の光信号を生成および送信する。第１の制御部は、第２の光信号が検出されるまで、第１の光送信部を制御して、複数の波長の中の異なる波長で、第１の光信号を繰り返し生成および送信するように構成されている。従って、第１の制御部は、第２の光信号が検出されるまで、第１の複数の波長の中から波長を繰り返し選択し、第１の光送信部を制御して、選択した波長のそれぞれで第１の光信号を生成および送信する。第１の制御部は、第２の光信号が検出された時点の波長で、それ以降、第１の光信号の生成および送信を継続するようにさらに構成されている。前述の第２の制御部は、光受信装置による第１の光信号の検出に続いて、第２の光送信部を制御して、第２の光信号を生成および送信するように構成されている。従って、第１の光信号が生成および送信される波長は、最後に選択された波長に設定される。この最後に選択された波長は、第１の光信号が光受信装置によって検出された波長であり、それに続いて、第２の光信号が送信され、検出されたものである。従って、光ネットワークは、単に第２の光信号の検出に基づいて、光ネットワーク要素装置の光送信部の波長を設定するように構成されている。従って、光送信部の波長の設定は、ネットワークで使用される伝送プロトコル、標準規格およびビットレートに関係なく、ネットワークの物理層で制御される。光ネットワーク要素装置と、第２の光送信部および第２の制御部との間に、ハンドシェイクは必要ない。第２の光送信部は、第１の光信号の検出に続いて、第２の光信号を生成および送信するだけであり、それによって、ネットワークの電力消費を抑えている。
【図面の簡単な説明】
【０００５】
【図１】本発明の第１の実施形態による光ネットワークの概略図である。
【図２】本発明の第２の実施形態による光ネットワークの概略図である。
【図３】本発明の第３の実施形態による光ネットワークの概略図である。
【図４】図３の光ネットワークの周回性アレイ導波路回折格子の概略図である。
【図５】図３の周回性アレイ導波路回折格子および光リンクの概略図である。
【図６】本発明の第４の実施形態による光ネットワーク要素装置の概略図である。
【図７】本発明の第５の実施形態による光加入者線終端装置の概略図である。
【図８】本発明の第６の実施形態による光ネットワークにおける光送信部の波長の設定方法の工程のフロー図である。
【図９】本発明の第６の実施形態による光ネットワークにおける光送信部の波長の設定方法の工程のフロー図である。
【図１０】本発明の第７の実施形態による光ネットワークにおける光送信部の波長の設定方法の工程のフロー図である。
【図１１】本発明の第８の実施形態による光ネットワークにおける光送信部の波長の遠隔設定方法の工程のフロー図である。
【発明を実施するための形態】
【０００６】
一実施形態では、前述の光受信部は、第１の光信号損失警報器を備える。この光受信部は、光パワー閾値を有し、光パワーがこの光パワー閾値を下回る光信号は検出しない。この信号損失警報器は、第２の光信号が検出されない時、すなわち、第２の光信号は受信されるが、光パワーが光パワー閾値を下回る時、または第２の光信号が受信されない時、第１の光信号損失警報オン信号を生成するように構成されている。前述の第１の制御部は、第１の光信号損失警報オン信号を受け取るように構成されている。第１の制御部は、第１の光信号損失警報オン信号の受け取りに応えて、第１の光送信部に、第１の光信号を生成および送信させるように構成されている。
【０００７】
一実施形態では、前述の第１の光信号損失警報器は、第２の光信号が検出される時、すなわち、第２の光信号が受信され、光パワーが光パワー閾値以上の時、第１の光信号損失警報オフ信号を生成するようにさらに構成されている。前述の第１の制御部は、第１の光信号損失警報オフ信号を受け取るまで、第１の光送信部を制御して、複数の波長の中の異なる波長で、第１の光信号を繰り返し生成および送信するように構成されている。従って、この第１の制御部は、第２の光信号が検出され、第１の光信号損失警報オフ信号を検出するまで、第１の複数の波長の中から波長を繰り返し選択し、第１の光送信部を制御して、各波長で第１の光信号を生成および送信する。第１の制御部は、第１の光信号損失警報オフ信号を受け取った時点の波長で、それ以降、第１の光信号の生成および送信を継続するようにさらに構成されている。
【０００８】
一実施形態では、前述の光受信装置は、第２の光信号損失警報器を備えている。この光受信装置は、光パワー閾値を有し、光パワーが光パワー閾値を下回る光信号を検出しない。この第２の光信号損失警報器は、第１の光信号が検出される時、すなわち、第１の光信号が受信され、光パワーが光パワー閾値以上の時、第２の光信号損失警報オフ信号を生成するように構成されている。前述の第２の制御部は、第２の光信号損失警報オフ信号を受け取るように構成されている。この第２の制御部は、第２の光信号損失警報オフ信号の受け取りに応えて、第２の光送信部を制御して、第２の光信号を生成および送信するように構成されている。いったん第１の光信号が光受信装置によって検出されると、第２の光信号損失警報オフ信号が生成され、次いで第２の光送信部が、第２の光信号を生成および送信するように制御される。
【０００９】
一実施形態では、第２の光信号損失警報器は、第１の光信号が検出されない時、すなわち、第１の光信号は受信されるが、光パワーが光パワー閾値を下回る時、または第１の光信号が受信されない時、第２の光信号損失警報オン信号を生成するようにさらに構成されている。
【００１０】
信号損失警報器は、光ネットワークの光受信部に一般的に備えられている。従って、光受信部および光受信装置の信号損失警報器を利用することによって、追加の専用ハードウェアの設置を必要とせずに、光ネットワークは、第１および第２の光信号を検出することができる。
【００１１】
一実施形態では、この光受信装置は、波長選択ルータの出力ポートに結合された光検出部を備える。このルータは、受信波長帯内の波長を有する光信号を光検出部に送り、この受信波長帯外の波長を有する光信号を実質的に阻止するように構成されている。従って、光ネットワークは、光検出部が結合された出力ポートに応じて、第１の光送信部の波長を設定するように構成されている。一実施形態では、波長選択ルータは、波長分割マルチプレクサ／デマルチプレクサを備える。一実施形態では、受信波長帯は、波長分割多重チャネルグリッド上の１つのチャネルだけ、従ってこの光ネットワーク内の１つのチャネルだけの波長を含むスペクトル範囲である。従って、光ネットワークは、第１の光送信部の波長を、光検出部が結合された出力ポートの波長チャネルに設定するように構成されている。
【００１２】
一実施形態では、前述の波長分割マルチプレクサ／デマルチプレクサは、アレイ導波路回折格子を備える。出力ポートは、受信波長帯内の波長を有する光信号を送るように構成されている。受信波長帯外の波長を有する光信号は、大幅に減衰される。一実施形態では、アレイ導波路回折格子には、周回性アレイ導波路回折格子を含む。
【００１３】
一実施形態では、前述の光検出部は、出力ポートの最大隣接クロストークより高い感度閾値を有する。それ故、アレイ導波路回折格子の他の出力ポートからのクロストークに由来する光信号は、検出されない。一実施形態では、前述の第１の光送信部は、感度閾値と第１の光信号が受ける減衰との差より大きくはない光パワーを有する第１の光信号を、生成および送信するように構成されている。これは、第２の光信号の波長が受信波長帯内に入るときだけ、第２の光信号が検出されるのを確実にする。従って、この光検出部は、受信波長帯外の光信号を検出しないし、異なる光ポートに伝送される受信波長帯内の波長からのクロストーク光信号も検出しない。
【００１４】
一実施形態では、この第１の光送信部は、波長可変レーザなどの波長可変光源を備える。
【００１５】
一実施形態では、前述の第１の制御部は、制御信号に応えて、第１の光送信部を制御して、第１の光信号を生成および送信するようにさらに構成されている。従って、第１の光信号の生成および送信は、第２の光信号が検出されない場合、制御信号の受け取りに続いて開始されるように制御されてもよい。
【００１６】
一実施形態では、第２の光送信部は、実質的に固定した動作波長を有する光源を備える。一代替実施形態では、この第２の光送信部は、波長可変レーザなどの波長可変光源を備える。一実施形態では、この可変光源の波長は、第２の所定の複数の波長の中から選択される。一実施形態では、前述の第２の制御部は、その中から波長が選択されるルックアップテーブルまたはルックアップリスト内の第２の所定の複数の波長を提供するように構成されている。一実施形態では、第１の所定の複数の波長は、第１の波長帯内の波長を備え、第２の所定の複数の波長は、第２の波長帯内の波長を備える。この第２の波長帯は、第１の波長帯から間隔をあけて配置されている。
【００１７】
一実施形態では、前述の光受信部は、広帯域光受信器を備える。
【００１８】
一実施形態では、前述の光ネットワークは、複数の光ネットワーク要素装置、複数の第２の光送信部、および複数の光検出部を備える。波長選択ルータは、複数の出力ポートを有し、光検出部はそれぞれ、それぞれの出力ポートに結合されている。各出力ポートは、異なる受信波長帯内の波長を有する光信号を送るように構成されている。従って、各光検出部は、ネットワークの異なるチャネル内の波長を有する光信号を検出するように構成されている。
【００１９】
一実施形態では、複数の光ネットワーク要素装置は、第２の波長選択ルータを介して前述の波長選択ルータに接続され、各光ネットワーク要素装置は、複数の入力ポートの中の異なる入力ポートに接続されている。一実施形態では、第２の波長選択ルータは、波長分割マルチプレクサ／デマルチプレクサを備え、各光ネットワーク要素装置は、波長分割マルチプレクサ／デマルチプレクサの複数の入力／出力ポートの中の異なる入力／出力ポートに接続されている。一実施形態では、波長分割マルチプレクサは、アレイ導波路回折格子を備える。従って、光ネットワークは、第１の光送信部が結合された波長分割マルチプレクサ／デマルチプレクサのそれぞれの入力／出力ポートに応じて、ひいては、各第１の光送信部が割り当てられているネットワークのチャネルに応じて、各第１の光送信部の波長を設定するように構成されている。
【００２０】
一実施形態では、前述のアレイ導波路回折格子には、周回性アレイ導波路回折格子を含む。
【００２１】
一実施形態では、前述の第２の所定の複数の波長は、各出力ポートに関係する異なる波長を備える。従って、第２の光送信部または各第２の光送信部の波長は、第２の光送信部がどの出力ポートに結合されているかに従って設定される。
【００２２】
一実施形態では、光ネットワークは、光ネットワーク要素装置または各光ネットワーク要素装置と波長選択ルータとの間に設けられた光リンクをさらに備え、光ネットワーク要素装置または各光ネットワーク要素装置は、光検出部または各光検出部から離れて設定されている。一実施形態では、波長分割マルチプレクサ／デマルチプレクサは、波長選択ルータから離れて設置されている。
【００２３】
本発明の第２の態様は、光送信部、制御部および光受信部を備える光ネットワーク要素装置を提供する。この光送信部は、第１の光信号を生成および送信するように構成されている。この制御部は、光送信部を制御して、所定の複数の波長の中から選択した波長で、第１の光信号を生成および送信するように構成されている。この光受信部は、第２の光信号を検出するように構成されている。制御部は、第２の光信号が検出されないことに応えて、光送信部を制御して、第１の光信号を生成および送信するように構成されている。すなわち、光受信部が第２の光信号を検出しない期間中、制御部は、光送信部を制御して、第１の光信号を生成および送信する。制御部は、第２の光信号が検出されるまで、光送信部を制御して、複数の波長の中の異なる波長で、第１の光信号を繰り返し生成および送信するように構成されている。従って、制御部は、第２の光信号が検出されるまで、複数の波長の中から波長を繰り返し選択し、光送信部に各波長で第１の光信号を生成および送信させる。制御部は、第２の光信号が検出された時点の波長で、それ以降、第１の光信号の生成および送信を継続するようにさらに構成されている。
【００２４】
このように、光ネットワーク要素装置は、単に第２の光信号の検出に基づいて、光ネットワーク要素装置の光送信部の波長を設定するように構成されている。従って、光送信部の波長の設定については、ネットワークで使用される伝送プロトコル、標準およびビットレートに関係なく、光ネットワーク要素装置が設けられている光ネットワークの物理層で制御することができる。
【００２５】
一実施形態では、前述の光受信部は、第１の光信号損失警報器を備える。この光受信部は、光パワー閾値を有し、光パワーが光パワー閾値を下回る光信号を検出しない。この信号損失警報器は、第２の光信号が検出されない時、すなわち、第２の光信号は受信されるが、光パワーが光パワー閾値を下回る時、または第２の光信号が検出されない時、第１の光信号損失警報オン信号を生成するように構成されている。前述の制御部は、信号損失警報オン信号を受け取るように構成されている。この制御部は、信号損失警報オン信号の受け取りに応えて、光送信部に第１の光信号を生成および送信させるように構成されている。
【００２６】
一実施形態では、第１の光信号損失警報器は、第２の光信号が検出される時、すなわち、第２の光信号が受信され、光パワーが光パワー閾値以上である時、第１の光信号損失警報オフ信号を生成するようにさらに構成されている。この制御部は、第１の光信号損失警報オフ信号を受け取るまで、光送信部を制御して、複数の波長の中の異なる波長で、第１の光信号を繰り返し生成および送信するように構成されている。従って、制御部は、第２の光信号が検出され、第１の光信号損失警報オフ信号を検出するまで、第１の複数の波長の中から波長を繰り返し選択し、光送信部を制御して、各波長で第１の光信号を生成および送信する。制御部は、信号損失警報オフ信号を受け取った時点の波長で、それ以降、第１の光信号の生成および送信を継続するようにさらに構成されている。
【００２７】
信号損失警報器は、光受信部に一般的に備えられている。従って、光受信部の信号損失警報器を利用することによって、追加の専用ハードウェアの設置を必要とせずに、光ネットワーク要素装置は、第２の光信号を検出することができる。
【００２８】
一実施形態では、光送信部は、波長可変レーザなどの波長可変光源を備える。
【００２９】
一実施形態では、制御部は、制御信号に応えて、光送信部を制御して、第１の光信号を生成および送信するようにさらに構成されている。従って、第２の光信号が検出されない場合、第１の光信号の生成および送信は、制御信号の受け取りに続いて開始される。
【００３０】
一実施形態では、前述の光受信部は、広帯域光受信器を備える。
【００３１】
本発明の第３の態様は、光送信部、制御部および光受信装置を備える光加入者線終端装置を提供する。この光送信部は、第１の光信号を生成および送信するように構成されている。この光受信装置は、受信波長帯内の波長を有する第２の光信号を検出するように構成されている。この制御部は、光受信装置による第２の光信号の検出に続いて、光送信部を制御して、第１の光信号を生成および送信するように構成されている。
【００３２】
従って、光加入者線終端装置は、単に第２の光信号の検出に基づいて、第１の光信号の生成および送信を制御するように構成されている。従って、光送信部の動作については、ネットワークで使用される伝送プロトコル、標準およびビットレートに関係なく、光加入者線終端装置が設けられているネットワークの物理層で制御することができる。光送信部は、第２の光信号の検出に続いて、第１の光信号を生成および送信しているだけであり、それによって、光加入者線終端装置の電力消費を抑えている。
【００３３】
一実施形態では、前述の光受信装置は、信号損失警報器を備える。光受信装置は、光パワー閾値を有し、光パワーが光パワー閾値を下回る光信号を検出しない。信号損失警報器は、第２の光信号が検出される時、すなわち、第２の光信号が受信され、光パワーが光パワー閾値以上の時、信号損失警報オフ信号を生成するように構成されている。制御部は、信号損失警報オフ信号を受け取るように構成されている。制御部は、信号損失警報オフ信号の受け取りに応えて、光送信部を制御して、第１の光信号を生成および送信するように構成されている。いったん第２の光信号が光受信装置で検出されると、第２の光信号損失警報オフ信号が生成され、次いで光送信部は、第１の光信号を生成および送信するように制御される。
【００３４】
一実施形態では、信号損失警報器は、第２の光信号が検出されない時、すなわち、第２の光信号は受信されるが、光パワーが光パワー閾値を下回る時、または第２の光信号が受信されない時、信号損失警報オン信号を生成するようにさらに構成されている。
【００３５】
一実施形態では、光受信装置は、波長選択ルータの出力ポートに結合された光検出部を備える。このルータは、受信波長帯内の波長を有する光信号を光検出部に送るように構成され、受信波長帯外の波長を有する光信号を実質的に阻止するように構成されている。一実施形態では、波長選択ルータは、波長分割マルチプレクサ／デマルチプレクサを備える。  一実施形態では、この波長分割マルチプレクサ／デマルチプレクサは、アレイ導波路回折格子を備える。出力ポートは、受信波長帯内の波長を有する光信号を送るように構成されている。受信波長帯外の波長を有する光信号は、大幅に減衰される。一実施形態では、アレイ導波路回折格子には、周回性アレイ導波路回折格子を含む。
【００３６】
一実施形態では、前述の光検出部は、出力ポートの最大隣接クロストークより高い感度閾値を有する。それ故、アレイ導波路回折格子の他の出力ポートからのクロストークに由来する光信号は、検出されない。従って、この光検出部は、受信波長帯外の第２の光信号を検出しないし、異なる光ポートに伝送される受信波長帯内の波長でのクロストーク光信号も検出しない。
【００３７】
一実施形態では、光送信部は、実質的に固定した動作波長を有する光源を備える。代替実施形態では、光送信部は、波長可変レーザなどの波長可変光源を備える。一実施形態では、可変光源の波長は、所定の複数の波長の中から選択される。一実施形態では、制御部は、その中から波長が選択されるルックアップテーブルまたはルックアップリスト内の所定の複数の波長を提供するように構成されている。
【００３８】
本発明の第４の態様は、光ネットワークにおける光送信部の構成方法を提供する。この方法は、第１のネットワーク位置において、第１の光信号が存在するか、かつ受信波長帯内の波長を有するかどうかを判定する工程を備える。方法は、第１の光信号が存在し、かつ受信波長帯内の波長を有する時、第２の光信号を生成および送信する工程を備える。方法は、光送信部が設置されている第２のネットワーク位置において、第２の光信号が存在すると判定するまで、所定の複数の波長の中の異なる波長で、第１の光信号を繰り返し生成および送信する工程を備える。それ故、第２の光信号が存在しないと判定するまでの期間中、第１の光信号は、複数の波長の中から選択された異なる波長で繰り返し生成および送信される。方法は、第２の光信号が存在すると判定すると、第２の光信号が存在すると判定した時点の波長で、それ以降、第１の光信号の生成および送信を継続する工程を備える。従って、第２の光信号の存在は、所定の複数の波長の中の異なる波長での、第１の光信号の繰り返しの生成および送信を停止させる。
【００３９】
従って、方法は、単に第２の光信号の検出に基づいて、光ネットワーク要素装置の光送信部の波長を設定する。従って、光送信部の波長の設定は、ネットワークで使用される伝送プロトコル、標準およびビットレートに関係なく、方法が使用されるネットワークの物理層を利用するだけで制御される。光ネットワーク要素装置と第２の光送信部および第２の制御部との間に、ハンドシェイクは必要ない。方法は、第１の光信号の検出に続いて、第２の光送信部が第２の光信号を生成および送信するだけであり、それによって、方法が適用されるネットワークの電力消費を確実に抑える。
【００４０】
一実施形態では、第１の光信号が存在するか、かつ受信波長帯内の波長を有するかどうかを判定する工程は、第１の光信号損失警報信号を受け取る工程と、この第１の光信号損失警報信号が第１の光信号の存在を示す、すなわち、第１の光信号が受信され、かつ光パワーが光パワー閾値以上であることを示す、信号損失警報オフ信号かどうかを判定する工程とを備える。一実施形態では、第２の光信号が存在するかどうかを判定する工程は、第２の光信号損失警報信号を受け取る工程と、この第２の光信号損失警報信号が第２の光信号の不在を示す信号損失警報オン信号かどうかを判定する工程とを備える。一実施形態では、第２の光信号が存在するかどうかを判定する工程は、第２の光信号損失警報信号が第２の光信号の存在を示す信号損失警報オフ信号かどうかを判定する工程を備える。従って、信号損失警報信号は、第２の光信号が存在するかそれとも不在であるかに応じて、第２の光信号損失警報器がＯＮ状態またはＯＦＦ状態にあることを示すことができる。
【００４１】
信号損失警報器は、光受信部内に一般的に備えられているので、方法は、追加の専用ハードウェアの設置を必要とせずに、光ネットワーク要素装置が第２の光信号を検出できるようにする。
【００４２】
一実施形態では、第１の光信号が受信され、光パワーが検出感度閾値以上の場合、第１の光信号が存在すると判定される。
【００４３】
一実施形態では、第２の光信号は、検出感度閾値と第２の光信号がネットワークを通る伝送で受ける減衰との差より大きくない光パワーを有する。
【００４４】
本発明の第５の態様は、光ネットワークにおける光送信部の波長の遠隔設定方法を提供する。この方法は、光送信部から離れた場所において、この光送信部が生成した第１の光信号が存在するか、かつ受信波長帯内の波長を有するかどうかを判定する工程を備える。方法は、第１の光信号が存在し、かつ受信波長帯内の波長を有する時、第２の光信号を生成および送信する工程をさらに備える。
【００４５】
従って、方法は、単に第２の光信号の存在の検出に基づいて、光ネットワークの光送信部の波長を遠隔設定する。従って、光送信部の波長の設定は、ネットワークで使用される伝送プロトコル、標準およびビットレートに関係なく、方法が適用されるネットワークの物理層を利用するだけで制御される。方法は、第１の光信号の検出に続いて、光送信部が第２の光信号を生成および送信するだけであり、それによって、方法が適用されるネットワークの電力消費を確実に抑える。
【００４６】
一実施形態では、第１の光信号が存在するか、かつ受信波長帯内の波長を有するかどうかを判定する工程は、第１の光信号が受信され、かつ光パワーが光パワー閾値以上であることを示す信号損失警報オフ信号を受け取る工程を備える。
【００４７】
一実施形態では、第１の光信号は、第１の光信号が検出感度閾値以上の光パワーを有する場合、存在すると判定される。
【００４８】
本発明の第６の態様は、光ネットワークにおける光送信部の波長の遠隔設定方法を提供する。この方法は、第２の光信号が存在すると判定するまで、光送信部において、所定の複数の波長の中の異なる波長で、第１の光信号を繰り返し生成および送信する工程を備える。第２の光信号は、この光送信部から離れた場所から受信される。方法は、第２の光信号が存在すると判定すると、第２の光信号が存在すると判定した時点の波長で、それ以降、第１の光信号の生成および送信を継続する工程を備える。従って、第２の光信号の存在は、所定の複数の波長の中の異なる波長での、第１の光信号の繰り返しの生成および送信を停止させる。
【００４９】
従って、方法は、単に第２の光信号の存在の検出に基づいて、光ネットワークの光送信部の波長を遠隔設定する。従って、光送信部の波長の設定については、ネットワークで使用される伝送プロトコル、標準およびビットレートに関係なく、方法が使用されるネットワークの物理層を利用するだけで制御することができる。
【００５０】
一実施形態では、第２の光信号が存在するかどうかを判定する工程は、信号損失警報信号を受け取る工程と、この信号損失警報信号が第２の光信号が存在しないことを示す信号損失警報オン信号かどうかを判定する工程を備える。一実施形態では、第２の光信号が存在するかどうかを判定する工程は、信号損失警報信号が第２の光信号の存在を示す信号損失警報オフ信号を備えるかどうかを判定する工程を備える。本発明の第７の態様は、その中に具体化されたコンピュータ読み取り可能命令を有するデータキャリアを提供する。コンピュータ読み取り可能命令は、プロセッサで利用可能な命令へのアクセスを提供するためである。コンピュータ読み取り可能命令は、プロセッサに、光ネットワークにおける光送信部の波長の遠隔設定方法の上記工程のいずれかを行わせる命令を備える。
【００５１】
本発明の第８の態様は、その中に具体化されたコンピュータ読み取り可能命令を有するデータキャリアを提供する。コンピュータ読み取り可能命令は、プロセッサで利用可能な命令へのアクセスを提供するためである。コンピュータ読み取り可能命令は、プロセッサに、光ネットワークにおける光送信部の構成方法の上記工程のいずれかを行わせる命令を備える。
【００５２】
図１を参照する。本発明の第１の実施形態は、光ネットワーク要素装置１２を備える光ネットワーク１０を提供する。光ネットワーク要素装置１２は、第１の光送信部１４、第１の制御部１６、および光受信部１８を備える。
【００５３】
光ネットワーク要素装置１２は、通常、光リンク３０に接続されている。この光リンク３０は、明瞭にするために図示されているが、本発明のこの実施形態の一部を形成しない。光ネットワーク要素装置１２は、帯域分割フィルタ２０をさらに備え、この帯域分割フィルタ２０によって、光リンク３０は、第１の光送信部１４および光受信部１８に結合されている。
【００５４】
第１の光送信部１４は、第１の光信号を生成および送信するように構成されている。第１の制御部１６は、第１の光送信部１４を制御して、光ネットワーク１０のチャネルの波長である所定の複数の波長の中から選択した波長で、第１の光信号を生成および送信するように構成されている。光受信部１８は、第２の光信号を検出するように構成されている。
【００５５】
光ネットワーク１０は、第２の光送信部２２、第２の制御部２４、および光受信装置２６をさらに備える。第２の帯域分割フィルタ２８が、光リンク３０を第２の光送信部２２および光受信装置２６に結合するために設けられている。
【００５６】
第２の光送信部２２は、第２の光信号を生成および送信するように構成されている。第２の制御部２４は、第２の光送信部を制御して、第２の光信号を生成および送信するように構成されている。光受信装置２６は、受信波長帯内の波長を有する光信号を検出するように構成されている。受信波長帯は、所定の波長の範囲であり、通常、光ネットワーク１０の１つのチャネルの波長だけを含むであろう。第２の制御部２６は、光受信装置２６による第１の光信号の検出に続いて、第２の光送信部２２を制御して、第２の光信号を生成および送信するように構成されている。
【００５７】
第１の制御部１６は、第２の光信号が検出されないことに応えて、第１の光送信部１４を制御して、第１の光信号を生成および送信するように構成されている。すなわち、第１の制御部１６は、光受信部１８が第２の光信号を検出しない時、第１の光送信部１４を制御して、第１の光信号を生成および送信する。第１の制御部１６は、光受信部１８が第２の光信号を検出するまで、複数の波長の中の異なる波長で、第１の光信号を繰り返し生成および送信するように構成されている。それ故、光受信部１８が第２の光信号を検出しない期間中、第１の制御部１６は、第１の光送信部１４を制御して、所定の複数の波長の中の第１の波長で、第１の光信号を生成および送信する。第１の光送信部１４は、第１の光信号が光リンク３０を通って光受信装置２６まで伝送され、結果として生じる第２の光信号が第２の光送信部２２によって生成および送信され、光リンク３０を通って光ネットワーク要素装置１２および光検出部１８まで返送されるのを可能にするのに十分に長い期間、選択した第１の波長で第１の光信号の生成および送信を続ける。第１の光信号の波長が、光受信装置２６の受信波長帯内に入らない場合、光受信装置２６は、第１の光信号を検出しない。
【００５８】
光受信装置２６が第１の光信号を検出しない場合、第２の制御部２４は、第２の光送信部２２を制御して、第２の光信号を生成および送信するようなことはしない。それ故、光受信部１８は第２の光信号を検出しない。第１の光信号のアップストリーム伝送および結果として生じる第２の光信号のダウンリンク伝送に必要な期間の経過後に、光受信部１８が第２の光信号を検出しない場合、第１の制御部１６は、第１の光送信部１４を制御して、所定の複数の波長の中の第２の波長で第１の光信号を生成および送信する。第１の制御部１６は、第２の光信号が検出されるまで、第１の光送信部１４を繰り返し制御して、所定の複数の波長の中から異なる波長を順次選択して、第１の光信号を生成および送信する。
【００５９】
第１の制御部１６は、最終的に第２の光信号が検出された時点の波長で、それ以降、第１の光信号の生成および送信を継続するようにさらに構成されている。
【００６０】
従って、光ネットワーク１０は、所定の複数の波長の中のそれぞれの波長で繰り返し生成および送信し、その波長が光受信装置２６の受信波長帯の範囲内に入るかどうかを確かめ、第１の光信号の「正しい」波長に達すると、第２の制御部２４が、第２の光送信部２２を制御して、第２の光信号を生成および送信することによって、第１の光送信部１４の波長を設定するように構成されている。光受信部１８が第２の光信号を検出すると、第１の制御部１６は、最後に試みた波長で、第１の光信号の生成および送信を継続する。
【００６１】
従って、光ネットワーク１０は、第１の光信号が正しい波長にあって、それを光受信装置２６が検出する時だけに生じる第２の光信号の検出に単に基づいて、第１の光送信部１４の波長を設定するように構成されている。従って、第１の光送信部１４の波長の設定は、ネットワーク１０の物理層で制御され、ネットワーク１０で使用される伝送プロトコル、標準およびビットレートとは関係ない。光ネットワーク要素装置１２と第２の制御部２４または第２の光送信部２２との間に、ハンドシェイクは必要ない。光ネットワーク１０では、第２の光送信部２２は、第１の光信号の検出に続いて、第２の光信号を生成および送信するだけであり、それ故、第１の光送信部１４がオフになっていて、送信していない場合、第２の光信号も送信されず、それによって、光ネットワーク１０の電力消費が抑えられるという利点も提供する。
【００６２】
図２に示す本発明の第２の実施形態は、前の実施形態の光ネットワーク１０と実質的に同じ光ネットワーク４０を提供するが、次の変更を有する。同じ参照番号は、対応する特徴を保持している。
【００６３】
この実施形態では、光受信装置４２は、波長選択ルータ４８の出力ポート４６に結合された光検出部４４を備える。出力ポート４６は、帯域分割フィルタ２８を介して光検出部４４に結合されている。波長選択ルータ４８は、その入力側において、光リンク３０に結合されている。前と同様に、光リンク３０は、明瞭にするためだけに示されており、この実施形態の一部を形成しない。
【００６４】
第１の光送信部１４は、波長可変レーザを備え、第２の光送信部２２は、固定波長レーザを備える。光受信部１８および光検出部４４のそれぞれは、広帯域光検出器を備える。
【００６５】
この例では、波長選択ルータ４８は、アレイ導波路回折格子（ＡＷＧ）を備える。当業者には公知のように、ＡＷＧには、あるチャネルの光信号が隣接チャネルに漏洩し、こうしてＡＷＧの間違った出力ポートに到達することによって引き起こされる種々のチャネル／ポート間のクロストークがある。ＡＷＧは、帯域外波長すなわち特定のチャネルの受信波長帯外の波長をほぼ完全に打ち消すことができるが、それでもやはり、幾らかのクロストークがＡＷＧのチャネル間に存在するであろう。この例では、ＡＷＧ４８は、−３１ｄＢの最大隣接クロストークを有するように設計されている、すなわちクロストーク信号またはチャネルに対して間違った波長の信号は、ＡＷＧを通る通信で−３１ｄＢの減衰を受けることになる。それ故、あるチャネルから隣接チャネルへ漏れる光信号の最大クロストークパワーは、そのインチャネル電力の−３１ｄＢになる。ＡＷＧ４８の出力ポート４６は、光検出部４４の受信波長帯内の波長を有する光信号を送るように構成されている。すなわち、出力ポート４６は、ＷＤＭグリッドの１つのチャネル、すなわち光ネットワーク４０の１つのチャネルに対応する波長を送るように構成されている。 
光検出部４４は、感度閾値、すなわち光検出部４４がそれを下回る受信光信号を検出しない最小光パワーを有する。この例では、光検出部４４の感度閾値は、−２８ｄＢｍである。光検出部４４の感度は、クロストーク信号が出力ポート４６に現れた場合でも、検出部がこの信号を検出しないように、出力ポート４６の最大隣接クロストークパワーより高くなるように選択されている。この例における最大隣接クロストークパワーは、通常、約−６０ｄＢｍであろう。これによって、検出部４４は、正しい波長、すなわち光検出部４４の受信波長帯内に入る波長の第２の光信号だけを検出することが確実になる。
【００６６】
この実施形態では、光受信部１８は、第１の光信号損失警報器を備える。光受信部１８は、それを下回る光信号を検出しない光パワー閾値（感度閾値）を有する。信号損失警報器は、第２の光信号が検出されない時、第１の光信号損失警報オン信号３２を生成するように構成されている。すなわち、光受信部１８において、第２の光信号は受信されるが、光パワーが光受信部の感度閾値を下回る時、または第２の光信号が受信されない時である。第１の制御部１６は、第１の光信号損失警報オン信号３２を受け取るように構成され、かつ第１の光信号損失警報オン信号３２の受け取りに応えて、第１の光送信部１４を制御して、第１の光信号を生成および送信するように構成されている。第１の光信号損失警報器は、第２の光信号が検出される時、すなわち、第２の光信号が受信され、光パワーが光受信部１８の感度閾値以上である時、第１の光信号損失警報オフ信号３２を生成するようにさらに構成されている。
【００６７】
この実施形態では、第１の制御部１６は、第１の光信号損失警報オフ信号を受け取るまで、第１の光送信部１４を制御して、複数の波長の中の異なる波長で、第１の光信号を繰り返し生成および送信するように構成されている。第１の制御部１６は、第１の光信号損失警報オフ信号３２を受け取った時点の波長で、それ以降、第１の光信号の生成および送信を継続するように構成されている。
【００６８】
結果として生じる第２の光信号が光リンク３０を通して伝送され、光受信部１８で検出されるまでの時間を考慮に入れて、第１の制御部１６が、第１の光信号の生成および送信の繰り返しのそれぞれの間で、時間を遅延させることは理解されるであろう。
【００６９】
光検出部４４は、第２の光信号損失警報器を備える。第２の光信号損失警報器は、第１の光信号が検出された時、第２の光信号損失警報オフ信号３４を生成するように構成されている。すなわち、光検出部４４において第１の光信号が受信され、光パワーが光検出部４４の感度閾値以上の時である。第２の制御部２４は、第２の光信号損失警報オフ信号３４を受け取り、この第２の光信号損失警報オフ信号の受け取りに応えて、第２の光送信部２２を制御して、第２の光信号を生成および送信するように構成されている。
【００７０】
この例では、第１の光送信部１４は、光検出部４４の感度閾値とアップストリーム伝送で第１の光信号が受ける減衰との差より大きくない光パワーを有する第１の光信号を生成および送信するように構成されている。この例では、第１の光信号は、光パワー３ｄＢｍを有する。光リンク３０を通る伝送での減衰（通常は最大−３０ｄＢ）によって、光検出部４４において、３ｄＢｍより小さいが−２８ｄＢｍより大きい光パワーを有する第１の光信号になる。この光パワーは感度閾値より高いので、ＡＷＧ４８の出力ポート４６の受信波長帯内に入る場合、第１の光信号は検出される。第１の光信号が受信波長帯外の波長を有する場合、第１の光信号は、ＡＷＧ４８を通る伝送で−３１ｄＢの減衰を受け、それ故、光検出部４４の感度閾値−２８ｄＢｍより小さい光パワーを有することになる。
【００７１】
図３を参照する。本発明の第３の実施形態は、前の実施形態の光ネットワーク４０と実質的に同じ光ネットワーク提供するが、次の変更を有する。同じ参照番号は、対応する特徴を保持している。
【００７２】
この実施形態では、光ネットワーク５０は、複数の光ネットワーク要素装置１２を備え、各光ネットワーク要素装置１２は、第２の波長選択ルータ５４を介して光リンク３０に結合されている。この第２の波長選択ルータ５４は、この例では第２のＡＷＧを備える。各光ネットワーク要素装置１２は、ＡＷＧ５４のそれぞれの出力ポート５６ａ、５６ｂ、５６ｃに接続されている。
【００７３】
図４に示されるように、ＡＷＧ５４は、周回性ＡＷＧであり、第１の波長の範囲λ１、λ２〜λＮが、ダウンストリーム光信号、すなわちそれぞれの第２の光送信部２２からの光信号に使用され、第２の波長の範囲λＮ＋１〜λ２Ｎがアップストリーム光信号、すなわち第１の光信号に使用される。２つの波長の範囲は、ＡＷＧ５４のフリースペクトルレンジ（ＦＳＲ）によって分割される。ＡＷＧ４８も、同様に周回性ＡＷＧである。
【００７４】
光ネットワーク５０は、複数の光加入者線終端装置５２をさらに備え、各光加入者線終端装置５２は、図２に関して上記のように、第２の光送信部２２、第２の制御部２４、光検出部４４および帯域分割フィルタ２８を備える。各ＯＬＴ５２は、ＡＷＧ４８のそれぞれの入力ポート４６ａ、４６ｂ、４６ｃに結合されている。
【００７５】
各ＯＬＴ５２の光検出部４４が、波長の範囲が異なる受信波長帯を有することによって、各光検出部４４従って各ＯＬＴ５２は、光ネットワーク５０の異なるチャネルに関連する第１の光信号を検出するように構成されている。
【００７６】
光ネットワーク要素装置１２の動作は、上述の通りであり、第１の光信号が、それぞれのＯＬＴ５２のそれぞれの光検出部４４で検出され、それぞれの第２の光送信部２２にそれぞれの第２の光信号を生成および送信させるまで、上述のように、各第１の光送信部１４が、第１の光信号を繰り返し生成および送信する。
【００７７】
図５に示されるように、例えば赤の波長で光パワー３ｄＢｍの第１の光信号（Ｓ）が、ＡＷＧ５４の例えば青などの第１のポート５６ａを間違って伝送されると、ＡＷＧ５４を通る伝送で−３１ｄＢの減衰を受けることになる。光リンク３０を通る伝送での減衰を含めると、これは、ＡＷＧ４８の赤のポートである出力ポート４６ｄ、すなわちその出力ポートに対して光信号が正しい波長である出力ポート４６ｄにおいて、−２８ｄＢｍを下回る光パワーを有する光信号になる。これは、ポート４６ｄにおいて検出部４４の感度閾値を下回り、検出されないことになる。青のポート例えば４６ａなどに到着するクロストーク光信号は、そのポートに対して間違った波長であることに起因して、ＡＷＧ４６を通る伝送でさらに−３１ｄＢの減衰を受け、−５９ｄＢｍ以下のパワーの出力になる。代わりに第２の光信号（Ｓ）がＡＷＧ５４の赤のポート５４ｄを通して伝送された場合、第２の光信号（Ｓ）は、ＡＷＧ５４を通る伝送で少しも減衰を受けないであろう。ＡＷＧ４６を通る赤のポート４６ｄへの伝送でも、同様に減衰を受けないので、第２の光信号（Ｓ）は、３ｄＢｍより光リンク３０を通る伝送でもたらされる減衰だけ小さい光パワーを有するであろう。ＡＷＧ４６の青のポート４６ａに到達するクロストーク光信号は、ＡＷＧ４６を通る伝送での−３１ｄＢの減衰に加えて光リンク３０を通る減衰を受け、結果として−２８ｄＢｍより少ない光パワーを有するであろう。それ故、赤のポート５４ｄおよび４６ｄを通って伝送された赤の第２の光信号は、３ｄＢｍのパワー（より光リンク３０を通る減衰に起因する損失分少ないパワー）を有して光検出部４４に到達し、それによって、その意図された出力ポートで光検出部４４によって検出され、他のどの出力ポートの光検出部４４でも検出されない。光リンク３０は、最大−３０ｄＢを有することがあり、その場合、赤のポート５４ｄおよび４６ｄを介して伝送された赤の第２の光信号に関して−２７ｄＢｍの光パワーになり、光ネットワーク５０の動作に影響を及ぼさないであろう。
【００７８】
本発明の第４の実施形態は、図６に示される光ネットワーク要素装置６０を提供する。光ネットワーク要素装置６０は、光送信部６２、制御部６４、光受信部６６および帯域分割フィルタ６８を備える。
【００７９】
光送信部６２は、第１の光信号７０を生成および送信するように構成されている。制御部６４は、光送信部を制御して、所定の複数の波長の中から選択した波長で、第１の光信号を生成および送信するように構成されている。波長は、光ネットワーク要素装置６０を組み込むことを意図している光ネットワークの光チャネルの波長と一致する。
【００８０】
光受信部６６は、帯域分割フィルタ６８を介してこの光受信部６６に伝送される第２の光信号７２を検出するように構成されている。
【００８１】
制御部６４は、第２の光信号が検出されないのに応えて、光送信部６２を制御して、第１の光信号７０を生成および送信するように構成されている。制御部６４は、第２の光信号が検出されるまで、光送信部６２を制御して、複数の波長の中の異なる波長で、第１の光信号を繰り返し生成および送信するように構成されている。制御部６４は、第２の光信号７２が検出された時点の波長で、それ以降、第１の光信号の生成および送信を継続するように構成されている。
【００８２】
制御部６４は、第２の光信号が検出されないのに応えて、光送信部６２を制御して、第１の光信号を生成および送信するように構成されている。すなわち、制御部６４は、光受信部６６が第２の光信号を検出しない時、第１の光送信部６２を制御して、第１の光信号を生成および送信する。制御部６４は、光受信部６６が第２の光信号を検出するまで、複数の波長の中の異なる波長で、第１の光信号を繰り返し生成および送信するように構成されている。それ故、光受信部６６が第２の光信号を検出しない期間中、制御部６４は、光送信部６２を制御して、所定の複数の波長の中の第１の波長で、第１の光信号を生成および送信する。光送信部６２は、光受信部６６が第２の光信号を受信できるのに十分に長い期間、第１の選択した波長で第１の光信号を生成および送信し続ける。
【００８３】
必要な時間の経過後に、光受信部６６が第２の光信号を検出しない場合、制御部６４は、光送信部６２を制御して、所定の複数の波長の中の第２の波長で、第１の光信号を生成および送信する。制御部６４は、第２の光信号が検出されるまで、光送信部６２を繰り返し制御して、所定の複数の波長の中の異なる波長で、第１の光信号を生成および送信する。
【００８４】
制御部６４は、第２の光信号が最終的に検出された時点の波長で、それ以降、第１の光信号の生成および送信を継続するようにさらに構成されている。
【００８５】
従って、光ネットワーク要素装置６０は、第２の光信号が検出されるまで、所定の複数の波長のそれぞれで繰り返し生成および送信することによって、光送信部６２の波長を設定するように構成されている。光受信部６６が第２の光信号を検出すると、制御部６４は、最後に試みた波長で第１の光信号の生成および送信を継続する。
【００８６】
従って、光ネットワーク要素装置６０は、単に第２の光信号の検出に基づいて、光送信部６２の波長を設定するように構成されている。従って、光送信部６２の波長の設定は、光ネットワーク要素装置６０が組み込まれている光ネットワークの物理層で制御することができ、ネットワークで使用される伝送プロトコル、標準およびビットレートに関係ない。
【００８７】
図７を参照する。本発明の第５の実施形態は、光送信部８２、制御部８６、光受信装置８８および帯域分割フィルタ９２を備える光加入者線終端装置（ＯＬＴ）８０を提供する。
【００８８】
光送信部８２は、第１の光信号８４を生成および送信するように構成されている。光受信装置８８は、受信波長帯内の波長を有する第２の光信号９０を検出するように構成されている。制御部８６は、光受信装置８８による第２の光信号の検出に続いて、光送信部を制御して、第１の光信号を生成および送信するように構成されている。
【００８９】
光受信装置８８の受信波長帯は、所定の波長の範囲であり、通常、ＯＬＴ８０を組み込むことを意図している光ネットワークの１つのチャネルの波長を含んでいる。
【００９０】
光送信部８２は、第１の光信号の検出に続いて、第２の光信号を生成および送信するだけであり、それによって、ＯＬＴ８０の電力消費を抑えている。
【００９１】
本発明の第６の実施形態は、図８の方法工程に示される、光ネットワークにおける光送信部の設定方法１００を提供する。方法１００は、上述の光ネットワーク１０、４０、５０のどれと使用するのにも適している。
【００９２】
この方法は、第１のネットワーク位置Ａにおいて、第１の光信号が存在するか、かつ受信波長帯内の波長を有するかどうかを判定する工程１０２を備える。方法は、第１の光信号が存在し、かつ受信波長帯内の波長を有する場合１０２、第２の光信号を生成および送信する工程１０４を備える。
【００９３】
この方法は、設定される光送信部が設置されている第２のネットワーク位置Ｂにおいて、第２の光信号が存在すると判定されるまで、所定の複数の波長の中の異なる波長で、第１の光信号を繰り返し生成および送信する工程をさらに備える。より詳細には、方法は、第２の光信号が存在するかどうか判定する工程１０６と、第２の光信号が存在しない場合１０６ａ、所定の複数の波長の中から１つの波長を選択する工程１０８と、選択した波長で第１の光信号を生成および送信する工程１１０とを備える。第１の光信号の生成および送信に続いて、方法は、第１の光信号の伝送および結果として生じる第２の光信号の受信までの時間を見越して適切な遅延時間を経過させる工程と、第２の光信号が存在するかどうかを判定する工程１１４とをさらに備える。方法は、第２の光信号が存在する場合１１４ａ、選択した波長で第１の光信号の生成および送信を継続する工程１１６を備える。方法は、第２の光信号が存在しない場合１１４ｂ、所定の複数の波長の中から異なる波長を選択する工程１１８と、選択した次の波長で第１の光信号を生成および送信する工程１１０とを備える。この場合もやはり、必要な遅延時間の経過に続いて、方法は、第２の光信号が存在するかどうかを判定する工程１１４を備える。第２の光信号が存在するかどうかの判定工程１１４と、異なる波長の選択工程１１８と、第１の光信号の生成および送信工程１１０とは、第２の光信号が存在すると判定される１１４ａまで繰り返される。
【００９４】
図９を参照する。本発明の第７の実施形態は、光ネットワークにおける光送信部の設定方法１２０を提供する。この方法１２０は、前の実施形態の方法１００と実質的に同じであるが、次の変更を有する。同じ参照番号は、対応する工程を保持している。
【００９５】
方法は、第１の位置Ａにおいて、第１の光信号損失警報信号を受け取る工程１２２と、この信号損失警報が、第１の光信号の存在すなわち第１の光信号の検出を示す信号損失警報オフ信号かどうかを判定する工程１２４とを備える。方法は、この信号損失警報信号が信号損失警報オフ信号の場合１２４ａ、第２の光信号を生成および送信する工程１０４を備える。
【００９６】
方法１２０は、第２の位置Ｂにおいて、第２の光信号損失警報信号を受け取る工程１２６と、この第２の光信号損失警報信号が、第２の光信号の不在すなわち第２の光信号の不検出を示す信号損失警報オン信号かどうかを判定する工程１２８とをさらに備える。方法１２０は、信号損失警報オン信号である場合１２８ａ、第２の光信号の存在すなわち第２の光信号の検出を示す信号損失警報オフ信号である信号損失警報信号を受け取る１３２ａまで、所定の複数の波長の中の異なる波長で、第１の光信号を繰り返し生成および送信する工程を備える。方法１２０は、選択した波長で第１の光信号の生成および送信を継続する工程１１６をさらに備える。
【００９７】
より詳細には、方法１２０は、所定の複数の波長の中から第１の波長を選択する工程１０８と、選択した波長で第１の光信号を生成および送信する工程１１０とを備える。方法１２０は、第２の光信号損失警報信号を受け取る工程１３０と、この信号が信号損失警報オン信号かそれとも信号損失警報オフ信号かを判定する工程１３２とをさらに備える。方法１２０は、信号損失警報オン信号を受け取った場合１３２ｂ、所定の複数の波長１３４の中から異なる波長を選択する工程１３４と、新しく選択した波長で第１の光信号を生成および送信する工程１１０とを備える。さらに第２の光信号損失警報を受け取り１３０、上述のように、この信号が信号損失警報オン信号かそれとも信号損失警報オフ信号かを判定する１３２。異なる波長の選択工程１３４と、第１の光信号の生成および送信工程１１０と、第２の光信号損失警報の受信工程１３０と、第２の光信号損失警報がオン信号かそれともオフ信号かの判定工程１３２とは、信号損失警報オフ信号を受け取る１３２ａまで繰り返される。
【００９８】
図１０は、本発明の第７の実施形態による光ネットワークにおける光送信部の設定方法１４０の工程を示す。この方法１４０の工程は、方法１２０の工程と同じであり、同じ参照番号を保持している。
【００９９】
方法１４０は、特に、光加入者線終端装置（ＯＬＴ）（位置Ａ）を備える光ネットワークにおける光ネットワーク終端装置（ＯＮＴ）（位置Ｂ）の光送信部の設定用である。
【０１００】
本発明の第８の実施形態は、図１１に示される、光ネットワークにおける光送信部の波長の遠隔設定方法１５０を提供する。
【０１０１】
方法１５０は、光送信部から離れた位置において、光送信部が生成した第１の光信号が存在するか、かつ受信波長帯内の波長を有するかどうかを判定する工程１５２を備える。この方法１５０は、第１の光信号が存在し、かつ受信波長帯内の波長を有する時１５２ａ、第２の光信号を生成および送信する工程１５４をさらに備える。
【図１】
2013502785.tif 000003
【図２】
2013502785.tif 000004
【図３】
2013502785.tif 000005
【図４】
2013502785.tif 000006
【図５】
2013502785.tif 000007
【図６】
2013502785.tif 000008
【図７】
2013502785.tif 000009
【図８】
2013502785.tif 000010
【図９】
2013502785.tif 000011
【図１０】
2013502785.tif 000012
【図１１】
2013502785.tif 000013
【国際調査報告】
2013502785.tif 000014
2013502785.tif 000015
2013502785.tif 000016